(57)【特許請求の範囲】
【請求項１】
一対のファスナーテープ２２の相対する側縁部３７がＵ字状に屈設され、その一方のファスナーテープの一端部に箱棒２７と箱体２６とを取り付けた一方のファスナーストリンガー２５と、他方のファスナーテープ２２に蝶棒２８を取り付けた他方のファスナーストリンガー２５とからなる開離倣挿具を有する隠しスライドファスナーチェーンに適用されるスライダー１であって、
前記スライダー１の本体は、下翼板５と、その下翼板５の幅方向側縁に沿って上方に向けて一体に立ち上がる左右のフランジ８と、肩口の幅方向中央に下翼板から上方に向けて立ち上がる案内柱６と、該案内柱６に形成された引手取付部７と、前記左右のフランジ８の上端から前記引手取付部７の側面に向けて水平に延設された左右一対の上翼板９と、を備え、
前記下翼板５の内面の肩口１５の端部から後口１６の端部にかけてＹ字状のガイド溝が形成され、前記案内柱６と前記左右上翼板９との間にファスナーテープ通路部１９を有し、
前記Ｙ字状のガイド溝には、下翼板５の内面よりも低く形成された面を有する凹陥部２０を肩口１５の端部から後口１６へ向けて凹設してなることを特徴とする開離嵌挿具付隠しスライドファスナー用スライダー。
【請求項２】
前記凹陥部２０は下翼板５の内面よりも低く形成された底面と、前記底面と下翼板の内面とを連結する側壁２１を備えており、前記側壁２１は底面４３に向けて傾斜した斜面から形成してなる請求項１記載の開離嵌挿具付隠しスライドファスナー用スライダー。
【請求項３】
前記側壁２１は蝶棒２８の挿入方向に対して交差する方向に延設された案内柱側方の側壁２１と、前記案内柱側の側壁２１からフランジ８の基部１８にかけて配設された後口１６側の側壁２１とからなることを特徴とする請求項２記載の開離嵌挿具付隠しスライドファスナー用スライダー。
【請求項４】
前記側壁２１は、スライダー１の摺動方向と平行に形成された案内柱側方の側壁２１と、前記案内柱側の側壁２１からフランジ８の基部１８にかけて配設された後口１６側の側壁２１とからなることを特徴とする請求項２記載の開離嵌挿具付隠しスライドファスナー
用スライダー。
【請求項５】
凹陥部２０の後口１６側の側壁は、下翼内の内面のうち、案内柱６の後口の端部より肩口側の範囲内に設けてなる請求項２記載の開離嵌挿具付隠しスライドファスナー用スライダー。
【請求項６】
凹陥部２０は、肩口１５から後口１６側へ向けて漸次幅狭に形成されてなる請求項１記載の開離嵌挿具付隠しスライドファスナー用スライダー。
【請求項７】
案内柱６の側方に設ける凹陥部２０は、肩口１５側で案内柱６の側方に設けた中仕切１７と、フランジ８の隅角の基部１８との間に凹設してなる請求項１記載の開離嵌挿具付隠しスライドファスナー用スライダー。
【請求項８】
凹陥部２０を案内柱６の両側の下翼板５に設置し、蝶棒２８の右差し、左差しに対応できる形態に形成してなる請求項１記載の開離嵌挿具付隠しスライドファスナー用スライダー。
【発明の詳細な説明】
【技術分野】
【０００１】
この発明は、隠しタイプのスライドファスナーにおけるファスナーチェーンの一端に取り付け、スライダーを前後に摺動操作を行うことによって、閉鎖状態のファスナーチェーンを左右のファスナーストリンガーに分離開放し、また開放状態のファスナーチェーンを閉鎖させる機能を備えた箱体、箱棒、蝶棒から構成された開離嵌挿具に使用される隠しスライドファスナー用スライダーであって、特にスライダーに対する蝶棒の挿入性の向上を図った開離嵌挿具付隠しスライドファスナー用スライダーに関するものである。
【背景技術】
【０００２】
従来知られている開離嵌挿具付隠しスライドファスナー用スライダーは、図１１，１２に示すように、スライダーの胴体における下翼板の中央長手方向に案内柱を立設し、図面には表示されていないが案内柱の上部に停止機構を備えた引手取付部を設け、この引手取付部は案内柱よりも側方へ張り出し、また下翼板の両側にファスナーエレメントの反転部を押圧することができるフランジを設けて、ファスナーエレメントを挿通するＹ字状のガイド部を形成し、フランジの上部には引手取付部の下縁に対向する上翼板を曲設し、引手取付部と上翼板との間に、ファスナーテープが挿通することができるテープ通路を設けて、隠しスライダーを完成する。
【０００３】
このスライダーに使用する隠しスライドファスナー用ファスナーチェーンは、ファスナーチェーンにおけるファスナーテープの側縁は断面Ｕ字状に折り曲げ、折り曲げたテープの外面にファスナーエレメントの噛合頭部が外側へ突出する状態に取り付け、ファスナーエレメントが存在しないスペース部には補強テープが取り付けられている。補強テープのうち一方の補強テープには、ファスナーストリンガーを開離閉鎖することができる、開離嵌挿具の箱体と箱棒をファスナーエレメントに連続して取り付けられており、他方の補強テープを取り付たファスナーストリンガーには箱体の蝶棒挿入孔へ挿入できる蝶棒をファスナーエレメントに連続して取り付けられている。この蝶棒およびスライダーのガイド溝
における蝶棒挿入溝および箱体の蝶棒挿入孔に挿入した後、スライダーを引き上げて摺動させることによって、左右のファスナーストリンガーを閉鎖して隠しファスナーチェーンを完成する。
【０００４】
また、図１３に示すような開離嵌挿具付スライダーが知られている。この隠しスライダーは、胴体の下翼板における両側のフランジ上部に曲設した上翼板の後口に平行部を設け、この上翼板の肩口付近から平行部にかけて、上翼板に凹欠部を設けてファスナーテープとの接触面を少なくし、かつ案内柱の上部に停止機構を備えた引手取付部を設け、この下縁にガイドフランジを設け、このガイドフランジの上方にファスナーエレメントの規整を助ける翼片、すなわち翼片はファスナーテープから突出しているファスナーエレメントの噛合頭部の上面に接触し、ファスナーエレメントの上方への移動を阻止する形に形成されている。また案内柱の後口側の先端にファスナーエレメントの噛合頭部を規整しガイドする規整体を設けた隠しスライダーが特許公報に記載されている。なお使用するファスナーチェーンは、前記したファスナーチェーンと同様のものを使用できる。
【特許文献１】特公昭５０−２５８５５号公報
【発明の開示】
【発明が解決しようとする課題】
【０００５】
前項で述べた図１１，１２に示した隠しスライダー、および図１３に示した隠しスライダーは、ともに胴体の下翼板おいて案内柱の両側における下翼板の内面には何ら改良が加えられていない。ファスナーストリンガーに取り付けられた蝶棒を、スライダーの肩口から挿入する際、ファスナーテープの側縁をＵ字状に折り曲げ、その折り返し部分よりも側端に蝶棒を取り付けているため、蝶棒は折り返し点を中心に回動し、ファスナーテープ面に対し垂下、すなわち略直角状に傾倒する傾向がある。また蝶棒自体が長手方向の中央において、ファスナーエレメントの噛合頭部側の表面がやや折曲して湾曲し、かつファスナーエレメントに接続する側が太く形成されているため、この状態すなわち蝶棒が垂下状態でスライダーの肩口から挿入すると、蝶棒の下向の先端がスライダーの下翼板に当接し、蝶棒の上方の湾曲部分が案内柱の上部に形成したガイドフランジ、または上翼板に当接し、蝶棒に連接するファスナーエレメントの噛合頭部が、該部に引っ掛かり円滑な嵌挿操作が行えないなど問題点がある。
【０００６】
この発明は、上述の問題点を考慮して発明されたものであり、この発明のうち請求項１記載の発明の目的は、隠しスライドファスナー用スライダーの胴体における下翼板の内面にファスナーストリンガーに取り付けられた蝶棒が、ファスナーテープ面に対して正常な姿勢でなく、ある程度ファスナー面に対して垂下状態または傾倒した状態でスライダーの蝶棒挿入溝に挿入されても、スライダーにおける下翼板の内面に設けた蝶棒の姿勢を復元させる機構によって、蝶棒を正常な姿勢に復元させる。ここで蝶棒の正常な姿勢また正常位置とは、ファスナーテープ面に対し、蝶棒が平行状に配され、蝶棒を取り付けたファスナーテープの側縁の横断面形状がＵ字状を呈し、その状態で箱体の蝶棒挿入孔に直接挿入することができる形態をいう。従って正常な姿勢また正常位置の蝶棒をスライダーおよび箱体へ円滑かつ確実に挿入操作を行うことができる開離嵌挿具付隠しスライドファスナー用スライダーを提供することが主たる目的である。
【０００７】
請求項２記載の発明は、請求項１記載の発明の目的に加え、スライダーの胴体における下翼板の内面に設けた蝶棒の正常位置への復元機構としての凹陥部は案内柱側の壁面および後口側の壁面を斜面状に仕上げることによって、蝶棒をスライダーおよび箱体への円滑な挿入操作が行える開離嵌挿具付隠しスライドファスナー用スライダーを提供することが目的である。
【０００８】
請求項３及び４に記載の発明は、請求項２記載の発明の目的に加え、スライダーの胴体
における下翼板の内面に設ける蝶棒の正常位置への復元機構としての凹陥部の側壁を規定することによって、蝶棒がスライダーおよび箱体へと確実に正常の状態に戻そうとする力を助成する開離嵌挿具付隠しスライドファスナー用スライダーを提供することが目的である。
【０００９】
請求項５記載の発明は、請求項１記載の発明の目的に加え、スライダーの胴体における下翼板の内面に設ける蝶棒の正常位置への復元機構としての凹陥部の設置範囲を限定し、最も適した位置であって理想的な左右のファスナーストリンガーの噛み合いが迅速に行うことができる開離嵌挿具付隠しスライドファスナー用スライダーを提供することが目的である。
【００１０】
請求項６記載の発明は、請求項１記載の発明の目的に加え、スライダーの胴体における下翼板の内面に設ける蝶棒の正常位置への復元機構としての凹陥部は、蝶棒を備えたファスナーストリンガーを円滑に移送が行え、的確に箱棒側のファスナーストリンガーと噛み合せることができる開離嵌挿具付隠しスライドファスナー用スライダーを提供することが目的である。
【００１１】
請求項７記載の発明は、請求項１記載の発明の目的に加え、スライダーの胴体における下翼板の内面に設ける蝶棒の正常位置への復元機構としての凹陥部は、蝶棒を迅速に正常位置に復元させ、正常な状態でスライダーの後口へ円滑にファスナーストリンガーを移送し、かつ的確に噛み合い操作が行える開離嵌挿具付隠しスライドファスナー用スライダーを提供することが目的である。
【００１２】
請求項８記載の発明は、請求項１記載の発明の目的に加え、スライドファスナーにおける開離嵌挿操作が世界中で同一方式を採用していないため、右差し方式を採用している国、地域、また左差し方式を採用している国、地域でも即刻実施できるように、スライダーの胴体における下翼板の内面に案内柱の両側に蝶棒の復元機構としての凹陥部を設けて利便性を図った開離嵌挿具付隠しスライドファスナー用スライダーを提供することが目的である。
【課題を解決するための手段】
【００１３】
前記の目的を達成するため、この発明のうち請求項１記載の発明は、  一対のファスナーテープ２２の相対する側縁部３７がＵ字状に屈設され、その一方のファスナーテープの一端部に箱棒２７と箱体２６とを取り付けた一方のファスナーストリンガー２５と、他方のファスナーテープ２２に蝶棒２８を取り付けた他方のファスナーストリンガー２５とからなる開離倣挿具を有する隠しスライドファスナーチェーンに適用されるスライダー１であって、前記スライダー１の本体は、下翼板５と、その下翼板５の幅方向側縁に沿って上方に向けて一体に立ち上がる左右のフランジ８と、肩口の幅方向中央に下翼板から上方に向けて立ち上がる案内柱６と、該案内柱６に形成された引手取付部７と、前記左右のフランジ８の上端から前記引手取付部７の側面に向けて水平に延設された左右一対の上翼板９と、を備え、前記下翼板５の内面の肩口１５の端部から後口１６の端部にかけてＹ字状のガイド溝が形成され、前記案内柱６と前記左右上翼板９との間にファスナーテープ挿通路１９を有し、前記Ｙ字状のガイド溝には、下翼板５の内面よりも低く形成された面を有する凹陥部２０を肩口１５の端部から後口１６へ向けて凹設してなることを特徴とする開離嵌挿具付隠しスライドファスナー用スライダーを主な構成とするものである。
【００１４】
請求項２記載の発明は、請求項１記載の発明の構成に加え、前記凹陥部２０は下翼板５の内面よりも低く形成された底面と、前記底面と下翼板の内面とを連結する側壁２１を備えており、前記側壁２１は底面４３に向けて傾斜した斜面から形成した開離嵌挿具付隠しスライドファスナー用スライダーである。
【００１５】
請求項３記載の発明は、請求項２記載の発明の構成に加え、前記側壁２１は蝶棒２８の挿入方向に対して交差する方向に延設された案内柱側方の側壁２１と、前記案内柱側の側壁２１からフランジ８の基部１８にかけて配設された後口１６側の側壁２１とからなる開離嵌挿具付隠しスライドファスナー用スライダーである。
【００１６】
請求項４記載の発明は、請求項１記載の発明の構成に加え、前記側壁２１は、スライダー１の摺動方向と平行に形成された案内柱側方の側壁２１と、前記案内柱側の側壁２１からフランジ８の基部１８にかけて配設された後口１６側の側壁２１とからなる開離嵌挿具付隠しスライドファスナー用スライダーである。
【００１７】
請求項５記載の発明は、請求項１記載の発明の構成に加え、凹陥部２０の後口１６側の側壁は、下翼内の内面のうち、案内柱６の後口の端部より肩口側の範囲内に設けた開離嵌挿具付隠しスライドファスナー用スライダーである。
【００１８】
請求項６記載の発明は、請求項１記載の発明の構成に加え、凹陥部２０は、肩口１５から後口１６側へ向けて漸次幅狭に形成された開離嵌挿具付隠しスライドファスナー用スライダーである。
【００１９】
請求項７記載の発明は、請求項１記載の発明の構成に加え、スライダー１における胴体２の下翼板５に凹設し、蝶棒２８の正常位置へ復元させるための凹陥部２０は、胴体２の肩口１５側で案内柱６の側方でファスナーエレメント２３の噛合頭部３１が載置できる中仕切１７と、フランジ８の隅角部分でファスナーエレメント２３の反転部３２を載置し押圧できる基部１８との間に凹設した開離嵌挿具付隠しスライドファスナー用スライダーである。
【００２０】
請求項８記載の発明は、請求項１記載の発明の構成に加え、スライダー１における胴体２の下翼板５に凹設し、蝶棒２８の正常位置へ復元させるための凹陥部２０は、案内柱６の両側に設けた平面形状がＹ字状のガイド溝１１の双方の肩口１５から後口１６に向けて設け、蝶棒２８を備えたファスナーストリンガー２５を右差し、左差しの何れにも適用できるように形成し、世界の国、地域において蝶棒２８の右差し、左差しに即応できる形態にスライダー１を形成した開離嵌挿具付隠しスライドファスナー用スライダーである。
【発明の効果】
【００２１】
この出願の効果として、請求項１記載の発明は、ファスナーテープが相対する側縁部がＵ字状に屈設し、該側縁部の外側表面に沿ってファスナーエレメントが取着された一対のファスナーストリンガーの各噛合頭部を係脱する隠しスライドファスナー用スライダーであって、下翼板の内面に設けたＹ字状のガイド溝には肩口の端部から後口側へ向けて凹陥部を凹設したことによって、下記の効果を奏する。
【００２２】
スライダーの胴体における下翼板の内面に設けた、ガイド溝の一方の蝶棒挿入溝の肩口側に挿入される蝶棒の正常位置へ復元させるための凹陥部を設けているから、たとえ蝶棒が、垂下状態あるいは傾倒した異状状態であっても、ファスナーテープ面に対して縦方向に回動し、蝶棒の上面が案内柱の引手取付部の下面に接触し、蝶棒の先端下面が下翼板に設けた凹陥部に接触するので、ゆとりのある蝶棒の挿入ができ、従来のように上下面で挟み付けて挿入動作を妨げることがなく、蝶棒の円滑な挿入操作ができる効果がある。
【００２３】
請求項２記載の発明は、請求項１記載の発明の効果に加え、凹陥部における案内柱側の側壁および後口側の側壁は、斜面から形成したことによって、蝶棒の正常位置への復元するための凹陥部において、縦方向に回動した垂下状態または傾倒状態の蝶棒を正常な状態
に復元するのに、凹陥部の案内柱側および後口側の側壁の壁面を斜面に形成し、復元を迅速および円滑に行える効果がある。
【００２４】
請求項３および４に記載の発明は、請求項１記載の発明の効果に加え、凹陥部の側壁位置を規定することによって、スライダー及び箱体への蝶棒の挿入時に、蝶棒の姿勢が自動的に正常な姿勢に戻されるという効果がある。
【００２５】
請求項５記載の発明は、請求項１記載の発明の効果に加え、凹陥部の設置位置は、案内柱の側方の範囲内に設けたことによって、蝶棒の正常位置への復元するための凹陥部を案内柱の側方に設けたので、左右のファスナーエレメントを案内柱と後口との間に配した中仕切上で、正確かつ確実に噛み合わせることができる効果がある。
【００２６】
請求項６記載の発明は、請求項１記載の発明の効果に加え、凹陥部は、肩口から後口側へ向けて漸次幅狭に形成したことによって、蝶棒の正常位置への復元するための凹陥部を肩口から後口側へ向けて次第に幅狭くなるように形成しているので、異状な状態の蝶棒を迅速に正常位置に復元させ、ファスナーストリンガーを確実に移送できる効果がある。
【００２７】
請求項７記載の発明は、請求項１記載の発明の効果に加え、案内柱の側方に設けた凹陥部は、肩口側で案内柱の側方に設けた中仕切と、フランジの隅角の基部との間に凹設したことによって、蝶棒を正常位置へ復元させ、蝶棒に接続するファスナーエレメントの噛合頭部を中仕切に迅速に載置し、ファスナーエレメントの反転部を基部に載置しフランジで押圧して、ファスナーストリンガーを的確に移送し、円滑に噛み合い操作を行うことができる効果がある。
【００２８】
請求項８記載の発明は、請求項１記載の発明の効果に加え、凹陥部を案内柱の両側の下翼板に設置し、蝶棒の右差し、左差しに対応できる形態に形成したことによって、蝶棒の右差し、左差しに対処できるスライダーで、世界の何れの地域においても即刻対応できるスライダーである効果があるなど、この発明が奏する効果はきわめて顕著である。
【発明を実施するための最良の形態】
【００２９】
この発明における開離嵌挿具付隠しスライドファスナー用スライダーは、スライダー１の胴体２および個別の箱体２６、箱棒２７、蝶棒２８からなる開離嵌挿具４は全て金属製であることが好ましい。前記スライダー１が挿通される開離嵌挿具付隠しファスナーストリンガー２５は、噛合頭部３１を内側にしてファスナーエレメント２３が２本一対のファスナーテープの対向側縁に沿って、それぞれ縫製などにより取り付けられている。また、前記一対のファスナーストリンガー２５の一端にはファスナーエレメント２３が存在しないファスナーテープ２２のスペース部２９に補強テープ３０が貼り付けられており、一方のファスナーストリンガー２５のスペース部２９の側縁には箱棒２７が取り付けられ、他方のファスナーストリンガー２５のスペース部２９の側縁には蝶棒２８が取り付けられている。さらに、箱棒２７の先端には箱体２６が取り付けられており、この箱体２６における箱棒２７とは反対側に蝶棒２８が挿入できるように形成されている。こうして得られる一対のファスナーストリンガー２５の各ファスナーエレメント２３を取り付けた取付縁部４２をファスナーエレメント２３の噛合頭部３１が外側に突出するように、連続エレメント３５に沿ってＵ字状に折り曲げ、この部分を熱セットなどにより固定する。
【００３０】
隠しスライドファスナー用スライダー１は、図１の斜視図に示すように、下翼板５の肩口１５の中央に案内柱６を立設し、案内柱６は上側部分に引手３を取り付けるための引手取付部７を設け、この引手取付部７は案内柱６の幅よりも広く側方に張り出し、また後口１６側へ引手取付部７を延設して停止機構の爪杆３８を装着する。引手取付部７の後口１６側端部は、隠しスライドファスナー用ファスナーチェーンにおける連続エレメント３５
の噛合頭部３１の上面をガイドし、スライダー１のガイド溝１１からファスナーチェーンが抜脱するのを防いでいる。
【００３１】
下翼板５の両側には、ファスナーエレメント２３の反転部３２側を圧接しガイドするためのフランジ８を設け、このフランジ８の上部には、案内柱６に向けて折曲した上翼板９が設けられている。上翼板９はファスナーエレメント２３の脚部３３と、この脚部３３を取り付けているファスナーテープ２２の側縁を上方から圧接可能に形成する。そして上翼板９の案内柱６に対向する先端に、案内柱６と上翼板９との間にファスナーテープ２２を挿通することができるテープ通路部１９を形成し、ファスナーテープ２２のＵ字状に折曲した部分を挿通する。
【００３２】
案内柱６の両側に形成されたＹ字状を呈するガイド溝１１において、一方に箱棒挿入溝１２を設け、他方に蝶棒挿入溝１３を設ける。蝶棒挿入溝１３における下翼板５の肩口１５側の内面にファスナーテープ２２に取り付けた蝶棒２８が正常の状態すなわち蝶棒２８がファスナーテープ２２面に対し平行状に配されておらず、スライダー１に容易に挿入することが困難な場合、例えば図４に示すように、ファスナーテープ２２の側縁部３７がＵ字状を保持することなく直角状を呈し、蝶棒２８がファスナーテープ２２面に対し縦状の状態すなわち垂下状態または傾倒状態で挿入されたとき、正常の状態すなわちファスナーテープ２２面と平行な状態に蝶棒２８が配されるように復元させるための機構、例えば凹陥部２０を下翼板５の内面のうち、肩口１５側の端部から後口１６へ向けて形成する。そのため、下翼板５の内面よりも低く形成された底面４３が形成される。また、凹陥部２０は下翼板５の内面と底面４３とを連結する側壁２１を備えており、案内柱６側の側壁２１と、後口１６側の側壁２１は斜面を呈するように形成されている。
【００３３】
隠しスライドファスナー用ファスナーチェーンは、箱棒２７と箱体２６を取り付けたファスナーストリンガー２５にスライダー１を箱体２６に接するように固定し、他方の蝶棒２８を取り付けたファスナーストリンガー２５の蝶棒２８およびファスナーテープ２２のＵ字状の折り返し部分、すなわち側縁部３７をスライダー１のテープ通路部１９を利用して挿入し、このとき蝶棒２８が垂下状態または傾倒状態で挿入されたとしても、蝶棒２８を取り付けたエレメント取付縁部４４を迅速にファスナーテープ２２面と平行状に修正するとともに、蝶棒２８の先端を凹陥部２０の後口１６側の側壁２１に沿って円滑に進出させ、箱体２６の蝶棒挿入孔３４に挿入した後、スライダー１を上方へ引き上げると、左右のファスナーエレメント２３の噛合頭部３１を案内柱６の後口１６側に設けた中仕切１７の上面で、下翼板５の両側に設けたフランジ８によって、ファスナーエレメント２３の反転部３２を圧接させることによって、左右の噛合頭部３１を次々と噛み合わせて隠しスライドファスナーチェーンを完成する。
【００３４】
また蝶棒２８の右差し、または左差しに対応できるように、案内柱６を立設した下翼板５のＹ字状のガイド溝１１における左右の挿入溝１２、１３にそれぞれ凹陥部２０を凹設して右差し、左差しに対処できるスライダー１とすることもできる。
【実施例１】
【００３５】
図１〜図７に示した実施例１の開離嵌挿具付隠しスライドファスナー用スライダーは、スライダー１の胴体および個別の箱体２６、箱棒２７、蝶棒２８から形成された開離嵌挿具４はアルミニウム合金、亜鉛合金などの金属から形成されている。前記スライダー１が挿通される隠しファスナーストリンガー２５は、噛合頭部３１を内側に配してファスナーエレメント２３が２本一対のファスナーテープ２２の対向側縁に沿って縫製などにより取り付けられ、前記一対のファスナーストリンガー２５の一端にはファスナーエレメント２３が存在しないファスナーテープ２２のスペース部２９を設けてその表面に補強テープ３０を貼り付け、一方のファスナーストリンガー２５のスペース部２９の側縁には、ファス
ナーエレメント２３に連接して略角柱状を呈する箱棒２７が取り付けられ、他方のファスナーストリンガー２５のスペース部２９の側縁には蝶棒２８が取り付けられている。
【００３６】
蝶棒２８は他方のファスナーストリンガー２５の側縁に取り付けたファスナーエレメント２３に連接し、上面、下面および上下面を連接する側面を有する略角柱状を呈しており、蝶棒２８の長手方向における先端側の半分の片隅を斜面状に切欠してある。
【００３７】
なお、ここでいう蝶棒２８の上下面とはファスナーテープ２２の表裏面に該当する面を指し、側面とは前記上下面と垂直な面を指す。さらに、箱棒２７の先端には箱体２６を多少可動できるように取り付け、この箱体２６における箱棒２７を取り付けた個所に隣接した個所に蝶棒２８が挿入できるように形成されている。こうして得られる一対のファスナーストリンガー２５の各ファスナーエレメントを取り付けた取付縁部４２をファスナーエレメントの噛合頭部３１が外側に突出するように、連続エレメント３５に沿ってＵ字状に折り曲げ、熱セットなどによりその折り曲げ形状が変化しないように固定される。
【００３８】
スライダー１は図１、図２に示すように、胴体２の下翼板５におけるスライダー１の摺動方向の一端中央に案内柱６を立設し、この案内柱６の上部に引手３を取り付けるための引手取付部７を設け、この引手取付部７は案内柱６の周部から外側へ延出して一体的に形成され、また引手取付部７をスライダー１の摺動方向の他端へ延設して停止機構の停止爪３９を備えた爪杆３８を取り付ける。引手取付部７は下翼板５の内面に形成した中仕切１７と略同じ形状を呈し、その引手取付部７の下縁は隠しファスナーチェーンにおける樹脂フィラメントから形成した連続エレメント３５の噛合頭部３１の上面に圧接することが可能であり、かつガイドするように形成し、スライダー１の内部に形成された下翼板５、案内柱６、引手取付部７、フランジ８および上翼板９に囲まれたＹ字状のガイド溝１１に挿通した隠しファスナーチェーンが抜脱するのを防ぐ形状に形成する。
【００３９】
下翼板５の内面のうち、スライダー１の摺動方向に直交する左右側縁部分には、ファスナーエレメント２３の反転部３２に圧接可能なフランジ８を立設し、このフランジ８の上部には、案内柱６に向けて突出する上翼板９を設ける。上翼板９はファスナーエレメント２３の脚部３３と、この脚部３３を取り付けているファスナーテープ２２の側縁に圧接し、ガイド可能に設置されている。そして上翼板９の案内柱６に対向する先端に、案内柱６と上翼板９との間にファスナーテープ２２を挿通することができるテープ通路部１９を形成して、ファスナーテープ２２のＵ字状に曲り折げた側縁部３７を挿通する。
【００４０】
前記スライダー１の下翼板５の内面のうち、蝶棒２８が挿入される肩口１５側には、肩口１５の端部から後口１６側へ向けて蝶棒の挿入方向または挿入軸を変位させることができる、ファスナーテープ２２をＵ字状に屈設させた正常位置に復元させるための凹陥部２０が凹設されている。この凹陥部２０は下翼板５の後口１６側の内面よりも低く形成された底面４３を有しており、また、挿入される蝶棒２８を正常位置に復元する動作を円滑に行うことができるように、凹陥部２０における底面４３は下翼板５の内面とを、なだらかな斜面によって連接されている。さらに、この斜面はスライダー１の摺動方向と平行に形成された案内柱６の側方の側壁２１と、案内柱６側の側壁２１とフランジ８の基部１８にかけて配設された後口１６側の側壁２１とから形成する。なお、凹陥部２０のうち肩口１５側は蝶棒２８が挿入し易いように外側に開放された平坦面から形成する。
【００４１】
前記凹陥部２０の設置位置は、下翼板５の内面のうち、案内柱６の側方の範囲内つまり、案内柱６の後口１６側の端部と、直交する範囲内に形成されていることが好ましい。凹陥部２０をこの範囲内に形成することで、挿入される蝶棒２８が、左右のファスナーエレメント２３の噛み合う前に、ほぼ正常な位置に復帰させることができるので、蝶棒２８が下翼板５の内面と引手取付柱７の下縁との間で挟まり、蝶棒２８の挿入が困難になること
がない。また、凹陥部２０は肩口１５側で案内柱６の側方に設けた中仕切１７とフランジ８の隅角部分の基部１８との間に凹設してあり、案内柱６の側方の側壁２１が案内柱６に対して所定の間隔を空けて肩口１５側の略中央に形成されている。また、案内柱６の側方の側壁２１はスライダー１の摺動方向に沿って平行に形成されており、フランジ８は、胴体２に設けた中仕切１７に沿って設け、ファスナーエレメント２３の反転部３２を押圧する形に形成されているので、案内柱６とフランジ８間に凹設する凹陥部２０は、肩口１５から後口１６側へ向けて漸次幅狭に形成する必要がある。このような構成とすることで、スライダー１に対する蝶棒２８の挿入角度を最適にすることができるので、容易に蝶棒２８を正常な位置に復帰させることができる。
【００４２】
次に図４から図７に示されるように蝶棒２８が正常な位置へ復帰する動作について説明する。
案内柱６の両側に形成された全体がＹ字状を呈するガイド溝１１において、一対の肩口１５のうち一方の肩口１５には箱棒挿入溝１２を設け、他方の肩口１５には蝶棒挿入溝１３が設けられている。この蝶棒挿入溝１３における下翼板５の肩口１５側の内面にファスナーテープ２２に取り付けた蝶棒２８が正常の状態すなわち蝶棒２８がファスナーテープ２２面に対し平行状に配されていなく、スライダー１に容易に挿入することが困難な場合、例えば図４に示すように、ファスナーテープ２２がＵ字状を保持することなく直角状を呈し、蝶棒２８がファスナーテープ２２面に対し縦状の状態すなわち垂下状態または傾倒状態で挿入されたとき、正常の状態すなわちファスナーエレメント２３を取り付けた取付縁部４２がファスナーテープ２２面に対してＵ字状に屈曲され蝶棒２８の上下面がファスナーテープ２２の表裏面と同一面となるように復元させるための機構、例えば凹陥部２０を蝶棒２８の挿入状態を修正して箱体２６の蝶棒挿入孔３４に正常な状態で挿入できるように形成されている。つまり、図５に示すように、蝶棒２８が縦状の状態でスライダー１に挿入されたとき、図６に示すように、まず仮想線で示した蝶棒２８がさらに奥へ挿入されると蝶棒２８の先端が後口１６側の側壁２１に当接したのち、実線で示したとおり下翼板５に乗り上げた状態となる。一方このとき蝶棒２８の基端側は凹陥部２０に落ち込んでいる。この状態からさらに蝶棒をスライダー１の奥へと挿入させると、ファスナーテープ２２自体がＵ字状に折曲された状態に戻ろうとする力が働き、図７に示されるように、実線で示した蝶棒２８が仮想線で示した位置へと回動する。このとき、凹陥部２０は下翼板５の内面よりも低く形成されているので、蝶棒２８が元の位置に回動するための十分な隙間を確保している。
【００４３】
また、図７の状態において、スライダー１の摺動方向に沿って形成された案内柱６の側方の側壁２１は蝶棒２８の挿入方向に対して交差する方向に延設されているので、蝶棒２８の一部が、案内柱６の側方の側壁２１に接触しながら挿入されることで蝶棒２８が正常な状態に戻ろうとするのを助勢する。さらに、図７に見られるように案内柱６の側方の側壁２１は引手取付部７よりもフランジ８側に形成されているので、蝶棒２８の側面が引手取付部７の下縁に接触した状態で挿入されていくので、蝶棒２８が正常な状態に戻ろうとするのを助勢する。
【００４４】
隠しファスナーチェーンは箱棒２７と箱体２６を取り付けたファスナーストリンガー２５にスライダー１を箱体２６に接し多少可動できるように固定し、他方の蝶棒２８を取り付けたファスナーストリンガー２５の蝶棒２８およびファスナーテープ２２のＵ字状の折り返し部分をスライダー１のテープ通路部１９を利用して挿入し、このとき蝶棒２８が縦状の状態で挿入されたとしても、蝶棒２８はスライダー１の下翼板５に凹設した凹陥部２０によって、蝶棒２８がファスナーテープ２２面と平行状に修正するための復帰動作を行うための隙間を確保するとともに、側壁２１によって、蝶棒２８が元の位置に戻ろうとする力を助勢することで、ファスナーテ−プ２２の側縁部３７がＵ字状に屈曲された状態に復帰させ、箱体２６の蝶棒挿入孔３４に挿入した後、スライダー１を上方へ引き上げると
、左右のファスナーエレメント２３の噛合頭部３１は案内柱６の後口１６側に設けた中仕切１７の上面で、下翼板５の両側に曲設したフランジ８によって、ファスナーエレメント２３の反転部３２を内側へ向けて押圧することによって、左右の噛合頭部３１を次々と噛み合わせて隠しスライドファスナー用ファスナーチェーンを完成する。
【実施例２】
【００４５】
図８〜１０に示した実施例２の開離嵌挿具付スライドファスナー用スライダーは、スライダー１の胴体２における下翼板５に肩口１５の中央から後口１６へ向けた位置に案内柱６を立設し、下翼板５の両側にフランジ８を曲折する基本的な形状は、実施例１のスライダー１と同一である。異なる構成は、案内柱６の両側のガイド溝１２, １３の下翼板５に凹陥部２０を対称的に凹設したことである。この構成以外の構成は、前記実施例１に示したスライダー１の構成と同一である。
【００４６】
下翼板５の肩口１５の中央に案内柱６を立設し、この案内柱６の両側に設けた箱棒２７または蝶棒２８を挿入するための挿入溝１２, １３を設け、この挿入溝１２, １３の一方を箱棒挿入溝１２、他方を蝶棒挿入溝１３とする。挿入溝１２, １３を箱棒用と蝶棒用と区別しないのは、一方の挿入溝を蝶棒用として用いるが、世界の地域によっては蝶棒２８を右差し専用に用いる場合と、左差し専用として用いる場合がある。そこで地域によって区別するのであれば最初から凹陥部２０を双方の挿入溝１２，１３に設けておけば、右差し用にも左差し用にも応用できるから双方の挿入溝１２，１３に凹陥部２０を凹設する。
【００４７】
なお、この発明で用いるファスナーエレメント２３はポリアミドあるいはポリエステルのモノフィラメントをコイル状またはジグザグ状に形成した連続エレメント、さらに金属または樹脂から形成された単独エレメントをファスナーテープの側縁に取り付けた隠しスライドファスナーチェーンを用いる。また、開離嵌挿具およびスライダーの材質を金属に代えて樹脂を用いて成形することも可能である。
【産業上の利用可能性】
【００４８】
この発明の開離嵌挿具付隠しスライドファスナー用スライダーは、デザインを重視する物品、例えば衣服、特にコート、スーツ、ワンピース、ジャケットの外衣などの開口部に用いる隠しスライドファスナーのスライダーである。
【図面の簡単な説明】
【００４９】
【図１】実施例１に基づく、隠しスライドファスナー用スライダーの斜視図である。
【図２】同上のスライダーの平面図である。
【図３】同上のスライダーの使用態様を示す平面図である。
【図４】同上のスライダーの使用態様を示す斜視図である。
【図５】同上のスライダーの使用態様を示す一部切欠した側面図である。
【図６】同上のスライダーの使用態様を示す一部切欠した側面図である。
【図７】同上のスライダーの使用態様を示す一部切欠した拡大図である。
【図８】実施例２に基づく、隠しスライドファスナー用スライダーの斜視図である。
【図９】同上のスライダーの平面図である。
【図１０】同上のスライダーの使用態様を示す平面図である。
【図１１】公知の隠しスライダーの平面図である。
【図１２】同上のスライダーの使用態様を示す平面図である。
【図１３】他の公知の隠しスライダーの斜視図である。
【符号の説明】
【００５０】
１      スライダー
２      胴体
４      開離嵌挿具
５      下翼板
６      案内柱
８      フランジ
１１    ガイド溝
１２    箱棒挿入溝
１３    蝶棒挿入溝
１５    肩口
１６    後口
１７    中仕切
１８    基部
２０    凹陥部
２１    側壁
２２    ファスナーテープ
２３    ファスナーエレメント
２５    ファスナーストリンガー
２６    箱体
２７    箱棒
２８    蝶棒
３１    噛合頭部
３２    反転部
３３    脚部
３７    側縁部
【図１】
0004906637.tif 000002
【図２】
0004906637.tif 000003
【図３】
0004906637.tif 000004
【図４】
0004906637.tif 000005
【図５】
0004906637.tif 000006
【図６】
0004906637.tif 000007
【図７】
0004906637.tif 000008
【図８】
0004906637.tif 000009
【図９】
0004906637.tif 000010
【図１０】
0004906637.tif 000011
【図１１】
0004906637.tif 000012
【図１２】
0004906637.tif 000013
【図１３】
0004906637.tif 000014